(57)【要約】  高い緩み止め効果を奏する締結部材を提供する。  ねじ山１０の少なくとも一部に下記構成のねじ山頂部側の上部１１と、ねじ谷底側の下部１２とを備えた締結部材１であって、上部１１には、圧力側フランク面１３および遊び側フランク面１４が形成され、下部１２には、圧力側の側面１５および遊び側の側面１６が形成され、圧力側の側面１５は、圧力側フランク面１３の下端から連続して形成され、締結部材１の軸線を含む断面にて、圧力側の側面１５は圧力側フランク面１３の下端から連続して形成され、圧力側の側面１５の形状は、圧力側フランク面１３の延長線から内側に向かって湾曲する曲線形状、または、圧力側フランク面１３の延長線から内側に配置された直線形状と当該延長線から内側に向かって湾曲する曲線形状とを組み合わせた形状である締結部材。
2011105225.tif 000002
【特許請求の範囲】
【請求項１】
ねじ山の少なくとも一部に下記構成のねじ山頂部側の上部と、ねじ谷底側の下部とを備えた締結部材であって、
前記上部には、圧力側フランク面および遊び側フランク面が形成され、
前記下部には、圧力側の側面および遊び側の側面が形成され、
前記圧力側の側面は、前記圧力側フランク面の下端から連続して形成され、
前記締結部材の軸線を含む断面にて、前記圧力側の側面の形状は、前記圧力側フランク面の延長線から内側に向かって湾曲する曲線形状、または、前記圧力側フランク面の延長線から内側に配置された直線形状と当該延長線から内側に向かって湾曲する曲線形状とを組み合わせた形状である締結部材。
【請求項２】
前記圧力側フランク面において、前記圧力側フランク面の下端が基準山形の圧力側フランク面から最も離隔して圧力側方向へ突出している、請求項１に記載の締結部材。
【請求項３】
前記圧力側フランク面は全体的に基準山形の圧力側フランク面より前記圧力側方向に設けられる、請求項２に記載の締結部材。
【請求項４】
前記遊び側フランク面は基準山形の遊び側フランク面と一致している、請求項１〜３のいずれか一項に記載の締結部材。
【請求項５】
基準山形の一対の谷底を基点として前記ねじ山は前記圧力側方向に傾斜し、その山頂部、前記圧力側フランク面、遊び側フランク面が、基準山形のそれらより前記圧力側方向に位置している、請求項２または請求項３に記載の締結部材。
【請求項６】
前記圧力側フランク面のフランク角は基準山形の圧力側フランク面のフランク角より大きく形成され、両フランク角の差は３°以下である、請求項２〜５のいずれか一項に記載の締結部材。
【請求項７】
前記圧力側フランク面の下端は、基準山形のねじ山の高さの１／３以上〜２／３以内に位置する、請求項１〜６のいずれか一項に記載の締結部材。
【請求項８】
前記圧力側の側面の形状は、前記圧力側フランク面の延長線から内側に配置された直線形状と当該延長線から内側に向かって湾曲する曲線形状とを組み合わせた形状であり、前記直線形状は前記締結部材の軸線に垂直な直線である、請求項１〜７のいずれか一項に記載の締結部材。
【請求項９】
前記遊び側の側面は前記遊び側フランク面と面一に形成されている、請求項１〜８のいずれか一項に記載の締結部材。
【請求項１０】
請求項１〜９のいずれか一項に記載の締結部材と、
その締結部材に締結される相手側締結部材と
を備える締結構造において、
前記締結部材を前記相手側締結部材に締結したとき、前記締結部材の圧力側フランク面が前記相手側締結部材に接触し、前記締結部材の圧力側の側面は前記相手側締結部材から離隔する締結構造。
【請求項１１】
請求項２又は３に記載の締結部材と、
その締結部材に締結される相手側締結部材と
を締結させる締結方法であって、
前記締結部材を前記相手側締結部材に対して締め込むときに、前記締結部材の前記圧力側フランク面の下端を、前記相手側締結部材の圧力側フランク面に対して最初に接触させる締結方法。
【発明の詳細な説明】
【技術分野】
【０００１】
本発明は、締結部材および締結構造に関する。
【背景技術】
【０００２】
従来、ボルトやナットなどのねじ構造を有する締結部材が広く使用されている。実際にボルトをナットに締めこむことを可能にするためには、ボルトの外径および有効径、ナットの内径および有効径について、寸法上の公差を設ける必要がある。その一方で、公差により緩みが生じる可能性がある。従来、この緩みの発生を防止するために種々の工夫がなされている。【０００３】
特許文献１には、雄ねじまたは雌ねじのねじ山における両側のフランクのうち、締結状態において圧接側となる圧接側フランクに対して、ねじ山の先端側に平坦フランク部と、該平坦フランク部に続く圧接側フランク部とを形成し、圧接側フランク部の傾斜をこれに対向する雌ねじまたは雄ねじのフランクの傾斜よりも大きく形成した緊締ねじが開示されている。【０００４】
特許文献２には、ねじ山外径を標準値より大きく形成するとともにねじ山の頭部側の半角を３０度より小さな角度に形成した雄ねじが開示されている。
また、ねじ山の一部に樹脂被膜層を形成することにより緩み止めを行う方法もある。
その他、本件発明に関連する技術を開示する先行文献として、特許文献３〜特許文献７を参照されたい。
【先行技術文献】
【特許文献】
【０００５】
【特許文献１】特開２００６−５７８０１号公報
【特許文献２】特開平９−１００８２５号公報
【特許文献３】実開平６−８７７１３号公報
【特許文献４】特開２００５−６１６０２号公報
【特許文献５】特公昭４８−１３９０２号公報
【特許文献６】実開平３−６１１５号公報
【特許文献７】実用新案登録第３０３１０８５号公報
【発明の概要】
【発明が解決しようとする課題】
【０００６】
特許文献１の技術では、前記平坦フランク部および前記圧接側フランク部が共に平面形状であるため、ねじに強い締結力がかかった場合に、前記平坦フランク部と前記圧接側フランク部の接続部分に応力が集中し易く、その接続部分に塑性変形やクラックが生じ易いという問題がある。
また、特許文献１の技術では、前記平坦フランク部および前記圧接側フランク部を設けた締結部材に対して、相手側締結部材が締結される。ここで、相手側締結部材の圧接側フランク（圧力側フランク面）のフランク角と、締結部材の前記平坦フランク部のフランク角とが異なるため、相手側締結部材の圧接側フランク部と前記平坦フランク部の接触面積が小さいことから強い摩擦力が得られず、十分な緩み止め効果を奏さないという問題もある。【０００７】
特許文献２には、締め付けトルクが徐々に増大して締付力が大きくなると、雄ねじのねじ山は弾性変形して雌ねじの谷部と接触しこの接触部分は順次大きくなると記載されている（段落［０００９］参照）。
しかし、特許文献２の技術では、雄ねじの圧力側フランク面のフランク角と、雌ねじの圧力側フランク面のフランク角とが異なるため、締付力が大きくなると前記接触部分は順次大きくなるとしても、塑性変形が発生するために前記接触部分に強い摩擦力が得られず、十分な緩み止め効果を奏さないという問題がある。
また、ねじ山の一部に樹脂被膜層を形成することにより緩み止めを行う方法では、ねじの再使用時に樹脂被膜層を再度形成しなければならず手間がかかるという問題がある。【０００８】
そして、特許文献１，２を含む従来の構成では、座面のへたりによりいわゆる「初期緩み」が生じる。この初期緩みを放置すると、軸力が低下し、ボルトに過度の応力集中が生じ、ボルトが破断するおそれがある。このような初期緩みの発生を防止することは困難であり、増し締めにより対処するしかなかった。
また、雄ねじや雌ねじに溶融亜鉛メッキを施す場合、メッキの厚みで雄ねじと雌ねじが嵌合しなくなるのを防ぐために、雌ねじを通常よりも大きく切る（すなわち、オーバータップを設ける）必要がある。
このようなオーバータップを、特許文献１，２を含む従来の構成に適用すると、雄ねじのフランク面と雌ねじのフランク面との隙間が大きくなり、雄ねじのフランク面と雌ねじのフランク面との摩擦力が大幅に低下したり、摩擦力が得られなくなる。そのため、従来の構成では、緩み止め効果を維持しつつ溶融亜鉛メッキのような厚みの大きいメッキを施すことは非常に困難である。【０００９】
本発明は前記問題を解決するためになされたものであって、以下の目的の少なくとも一つを有するものである。
（１）高い緩み止め効果を奏する締結部材または締結構造を提供する。
（２）通常の締結部材と同じように締め付けができてトルク管理が容易であり、再使用が容易な締結部材または締結構造を提供する。
（３）締結部材の第１ねじ山にかかる荷重負担を緩和して応力集中を防ぐことにより、疲労強度を向上させた締結部材または締結構造を提供する。
（４）初期緩みの発生が防止される締結部材または締結構造を提供する。
（５）緩み止め効果を維持しつつ厚みの大きいメッキを施すことが可能な締結部材または締結構造を提供する。
【課題を解決するための手段】
【００１０】
本発明者らは上記課題を解決するために鋭意検討を重ねた結果、下記のように本発明の各局面に想到した。
この発明の第１の局面は次のように規定される。
ねじ山の少なくとも一部に下記構成のねじ山頂部側の上部と、ねじ谷底側の下部とを備えた締結部材であって、
前記上部には、圧力側フランク面および遊び側フランク面が形成され、
前記下部には、圧力側の側面および遊び側の側面が形成され、
前記圧力側の側面は、前記圧力側フランク面の下端から連続して形成され、
前記締結部材の軸線を含む断面にて、前記圧力側の側面の形状は、前記圧力側フランク面の延長線から内側に向かって湾曲する曲線形状、または、前記圧力側フランク面の延長線から内側に配置された直線形状と当該延長線から内側に向かって湾曲する曲線形状とを組み合わせた形状である。【００１１】
第１の局面で規定される締結部材によれば、ねじ山の下部の圧力側の側面が特定形状（締結部材の軸線を含む断面にて、圧力側フランク面の延長線から内側に向かって湾曲する曲線形状、または、圧力側フランク面の延長線から内側に配置された直線形状と当該延長線から内側に向かって湾曲する曲線形状とを組み合わせた形状）になっているため、ねじ山は締め付けにより相手側締結部材から力をうけると、全体的に遊び側へ変形しようとするが、その変形が当該圧力側の側面に集中してそこを弾性変形させる。換言すれば、相手側締結部材からの力が当該圧力側の側面の弾性変形を優先的に誘発する。その結果、ねじ山は全体的に遊び側へ変形する（ねじ山の全体的な弾性変形）。他方、このような圧力側の側面が存在しないと、ねじ山にかかった荷重は薄肉である山頂部に集中し、この山頂部を変形させて、そこに塑性変形を引き起こすおそれがある。
ねじ山は全体的に変形しているものの、その変形は特定形状の圧力側の側面に集中した弾性変形に起因しているので、ねじ山が元の形状に戻ろうして大きな反発力を生じる。これにより、締結部材の圧力側フランク面と相手側締結部材の圧力側フランク面との間へ大きな反力、ひいては摩擦力を生じさせ、もって緩み止め効果を確実に奏させる。
圧力側の側面は特定形状（締結部材の軸線を含む断面にて、圧力側フランク面の延長線から内側に向かって湾曲する曲線形状、または、圧力側フランク面の延長線から内側に配置された直線形状と当該延長線から内側に向かって湾曲する曲線形状とを組み合わせた形状）を有しているため、変形時に応力が集中しても、塑性変形やクラック等を殆ど生じさせない。応力は曲線部分を拡開する方向に働き、当該曲線部分に広くかつ均等に分散するためである。
上記の構造は連続するねじ山の全てに付与することが好ましいが、相手側締結部材と螺合する部分のみに付与してもよい。【００１２】
上記の側面の形状をねじ山の遊び側にも設けると、ねじ山の下部が薄肉化して、ねじ山は全体に弾性変形しやすくなるが、本件発明のように圧力側側面に弾性変形を集中させた場合に比べ経年により弾性力が失われねじ山全体の塑性変形が起こりやすい。
従来の締結部材では、これを相手側締結部材に螺合したとき、第１ねじ山に最も大きな負荷がかかっていた。
これに対し第１の局面に規定の締結部材によれば、第１ねじ山自体が弾性変形することにより、第１ねじ山にかかる力が第２ねじ山に分散し、更に第２ねじ山も同様に弾性変形可能であるため、第２ねじ山にかかる力が第３ねじ山に分散する。これが、第３ねじ山、第４ねじ山……と連続して、相手側締結部材からの力を多くのねじ山で受け止められることとなる。
これにより、第１ねじ山にかかる荷重が分散し、第１ねじ山の谷部への応力集中が防止される。よって、疲労強度が向上し、ねじの破断を防止することができる。また、締結部材の繰返し使用を保証することにもなる。【００１３】
締結部材にオーバータップを設けた場合でも、ピッチが同じため、締結部材の圧力側フランク面と相手側締結部材の圧力側フランク面とが必ず接触する。従って、ねじ山は締結部材の圧力側フランク面と相手側締結部材の圧力側フランク面との間に充分な反力を生じさせ、緩み止めの効力を発揮する。【００１４】
第２の局面は次のように規定される。即ち、
第１の局面に記載の締結部材において、前記圧力側フランク面の中で、前記圧力側フランク面の下端が基準山形の圧力側フランク面から最も離隔して圧力側方向へ突出している。ここにおいて、前記圧力側方向とは、締結部材を構成する複数個のねじ山のそれぞれの圧力側フランク面が設けられている側の方向である。【００１５】
このように規定される第２の局面の締結部材によれば、締結部材を相手側締結部材に対して締め込むときに圧力側フランク面の下端が最初に相手側締結部材の圧力側フランク面に接触する。これにより、ねじ山に対する相手側締結部材からの力が最初に当該下端（即ち圧力側フランク面と側面との連結部）にかかる。よってその力は特定形状の側面の弾性変形を効率良く誘発することとなる。
また、相手側締結部材がねじ山の下側（谷部側）から上側（山頂部側）へ徐々に当接するので、当該山頂部側の塑性変形をより確実に防止できる。【００１６】
この発明の第３の局面は次のように規定される。即ち、第２の局面に記載の締結部材において、前記圧力側フランク面は全体的に基準山形の圧力側フランク面より前記圧力側方向に設けられる。
第３の局面に規定の締結部材によれば、第２の局面の前記作用・効果がより確実に得られる。【００１７】
この発明の第４の局面は次のように規定される。即ち、第１〜第３の局面のいずれかに記載の締結部材において、前記遊び側フランク面は基準山形の遊び側フランク面と一致している。
第４の局面に記載の締結部材においても、第１〜第３の局面の前記作用・効果が得られる。【００１８】
この発明の第５の局面は次のように規定される。即ち、第２の局面または第３の局面に記載の締結部材において、基準山形の一対の谷底を基点として前記ねじ山は前記圧力側方向に傾斜し、その山頂部、前記圧力側フランク面、遊び側フランク面が、基準山形のそれらより前記圧力側方向に位置している。
このように規定された第５の局面の締結部材では、ねじ山全体が圧力側に傾斜しているので、締結部材を相手側締結部材に締め込んだときに相手側締結部材から受ける力に対してより強い抵抗を示す。その結果、より大きな弾性力を発生させることができる。【００１９】
この発明の第６の局面は次のように規定される。即ち、第２〜第５の局面のいずれかに記載の締結部材において、前記圧力側フランク面のフランク角は基準山形の圧力側フランク面のフランク角より大きく、両フランク角の差は３゜以下である。
圧力側フランク面のフランク角が３°より大きくなると、圧力側フランク面の下端（即ち、圧力側フランク面と圧力側側面の連結部）が塑性変形し、相手側締結部材からの力がそこで吸収されて、圧力側側面の弾性変形が効率的に誘発されないおそれがある。
両フランク角の差の下限は特に限定されるものではないが、一般的な公差を超えるものとする。【００２０】
この発明の第７の局面は次のように規定される。即ち、
第７の局面に記載の締結部材は、第１〜第６の局面のいずれかに記載の締結部材において、前記圧力側フランク面の下端は、基準山形のねじ山の高さの１／３以上〜２／３以内に位置する。
締結部材の圧力側フランク面の下端が基準山形のねじ山高さの２／３を超えるとねじ山において下部の比率が大きくなりすぎる。下部の圧力側側面は抉れているので、締結部材として十分な強度を確保できなくなるおそれがある。
また、締結部材の圧力側フランク面の下端が基準山形のねじ山高さの１／３未満であると、ねじ山下部の側面に充分な曲線部分を確保できず、その部分の弾性変形が不十分になるので好ましくない。【００２１】
締結部材の圧力側フランク面の下端は、締結状態において相手側締結部材の圧力側フランク面上に位置する（相手側締結部材の圧力側フランク面が締結部材における圧力側の側面に被さる）ことが好ましい。
これにより、圧力側フランク面とそれに続く側面との連続部が相手側締結部材の圧力側フランク面に確実に接触し、相手側締結部材からの力にもとづき圧力側側面の弾性変形が確実に誘発される。【００２２】
この発明の第８の局面は次のように規定される。即ち、
この発明の第８の局面に記載の締結部材は、第１〜第７の局面のいずれかに記載の締結部材おいて、前記圧力側の側面の形状は、前記圧力側フランク面の延長線から内側に配置された直線形状と当該延長線から内側に向かって湾曲する曲線形状とを組み合わせた形状であり、前記直線形状は前記締結部材の軸線に垂直な直線である。
第８の局面によれば、第１の局面の前記作用・効果をより確実に得られる。【００２３】
この発明の第９の局面は次のように規定される。
この発明の第９の局面に記載の締結部材は、第１〜第８の局面のいずれかに記載の締結部材において、前記遊び側の側面は前記遊び側フランク面と面一に形成されている。
このように規定される第９の局面に記載の締結部材では、遊び側フランク面がそのまま平面形状で延長しながら、ねじ谷底に連続する形状であるため、締結部材を相手側締結部材に締め込んだときに相手側締結部材から受ける力に対してより強い抵抗を示す。よって、より大きな反力を発生させることができる。【００２４】
この発明の第１０の局面は次のように規定される。即ち、
第１〜第９の局面のいずれかに記載の締結部材と、その締結部材に締結される相手側締結部材とを備える締結構造において、前記締結部材を前記相手側締結部材に締結したとき、前記締結部材の圧力側フランク面が前記相手側締結部材に接触し、前記締結部材の圧力側の側面は前記相手側締結部材から離隔する。
第１０の局面に記載の締結構造によれば、第１〜第９の局面の前記作用・効果をより確実に得られる。【００２５】
この発明の第１１の局面は次のように規定される。即ち、
第２又は第３の局面に記載の締結部材と、その締結部材に締結される相手側締結部材とを締結させる締結方法であって、前記締結部材を前記相手側締結部材に対して締め込むときに、前記締結部材の前記圧力側フランク面の下端を、前記相手側締結部材の圧力側フランク面に対して最初に接触させる。
第１１の局面によれば、第２又は第３の局面の前記作用・効果をより確実に得られる。
【図面の簡単な説明】
【００２６】
【図１】本発明の第１実施形態のねじ山１０を備えるボルト１の非締結状態における正面図。
【図２】図２（Ａ）は、図１に示すねじ山１０における軸線５を含む断面拡大図。図２（Ｂ）は、第１実施形態のボルト１に、その相手側締結部材であるナット９を締結した状態におけるねじ山１０を示す断面図。
【図３】第１実施形態の第１変形例のねじ山２０における軸線５を含む断面拡大図。
【図４】第１実施形態の第２変形例のねじ山３０における軸線５を含む断面拡大図。
【図５】第１実施形態の第３変形例のねじ山４０における圧力側の側面１５の断面拡大図。
【図６】図６（Ａ）は、本発明の第２実施形態のねじ山１００における軸線５を含む断面拡大図。図６（Ｂ）は、第２実施形態のボルト１にナット９を締結した状態におけるねじ山１００を示す断面図。
【図７】図７（Ａ）は、本発明の第３実施形態のねじ山２００における軸線５を含む断面拡大図。図７（Ｂ）は、第３実施形態のボルト１にナット９を締結した状態におけるねじ山２００を示す断面図。
【図８】本発明の第４実施形態のねじ山４００における軸線５を含む断面拡大図。
【図９】第４実施形態のボルト１にナット９を締結した状態におけるねじ山４００を示す断面図。
【発明を実施するための形態】
【００２７】
以下、本発明を具体化した各実施形態について図面を参照しながら詳細に説明する。尚、各実施形態において、同一の構成部材および構成要素については符号を等しくすると共に、同一内容の箇所については重複説明を省略してある。
【００２８】
＜第１実施形態＞
図１は、各実施形態のねじ山１０，２０，３０，４０，１００，２００，３００を備えるボルト１の非締結状態における正面図である。
締結部材であるボルト１は雄ねじ構造を有し、頭部２、円筒部３、ねじ部４、軸線５を備える。頭部２における円筒部３側の面には、座面６が形成されている。ねじ部４には、ねじ山１０が形成されている。
【００２９】
図２（Ａ）は、図１に示すねじ山１０における軸線５を含む断面拡大図である。
仮想円筒７は、基準山形８の有効径を規定する仮想的な円筒である。
換言すれば、有効径とは、基準山形８の軸線５の方向に測ったねじ溝の幅とねじ山の幅とが等しくなるような仮想円筒７の直径である。
【００３０】
基準山形８は、雄ねじ谷底８１ａ，８１ｂ、圧力側フランク面８２、遊び側フランク面８３を備える。
基準山形８の軸線は、ねじ山１０の軸線５と同一である。
基準山形８はＪＩＳ規格で規定される理論上のねじ山形状であり、例えばこの例では基準山形８のねじ山の角度θ1は約６０°、圧力側フランク面８２のフランク角θ2および遊び側フランク面８３のフランク角θ3はいずれも約３０°である。
各仮想線８４ａ，８４ｂはそれぞれ、基準山形８の雄ねじ谷底８１ａ，８１ｂを通って軸線５と直交する。
基準山形８のピッチは、雄ねじ谷底８１ａ，８１ｂ間を軸線５に平行に測った距離である。
【００３１】
第１実施形態のねじ山１０は、仮想円筒７よりも雄ねじ山頂部１０ａ側の上部１１と、仮想円筒７よりも雄ねじ谷底１０ｂ，１０ｃ側の下部１２とを備える。
ねじ山１０の上部１１には、圧力側フランク面１３と遊び側フランク面１４とが形成されている。
ねじ山１０の圧力側フランク面１３のフランク角θ2は、基準山形８の圧力側フランク面８２のフランク角と略同一の約３０°である。
ねじ山１０の遊び側フランク面１４のフランク角θ3は、基準山形８の遊び側フランク面８３のフランク角と略同一の約３０°である。
そのため、ねじ山１０の角度θ1は基準山形８と略同一の約６０°である。
そして、ねじ山１０のピッチは基準山形８と同じである。
【００３２】
ねじ山１０の下部１２には、圧力側（座面６側（図１参照））の側面１５と、遊び側（ねじ先端側）の側面１６とが形成されている。
圧力側の側面１５の形状は、軸線５を含む断面にて、圧力側フランク面１３の延長線（基準山形８の圧力側フランク面８２に沿う線）から内側に向かって湾曲しながら雄ねじ谷底１０ｂに連続するＲ形状である。換言すれば、圧力側フランク面の延長面から抉れた形状である。
そして、圧力側の側面１５は、雄ねじ谷底１０ｂから圧力側（座面６側）に隣接するねじ山（図示略）における遊び側の側面に連続する。
【００３３】
遊び側の側面１６の形状は、軸線５を含む断面にて、遊び側フランク面１４と面一（フラット）になっており、遊び側フランク面１４がそのまま平面形状で延長しながら雄ねじ谷底１０ｃに連続する形状である。
そして、遊び側の側面１６は、雄ねじ谷底１０ｃから遊び側（ねじ先端側）に隣接するねじ山における圧力側の側面に連続する。
ねじ山１０において、圧力側フランク面１３の下端１３ａ（圧力側の側面１５の上端）は、仮想円筒７の近傍の位置（基準山形８の有効径の近傍の位置）に形成されている。
【００３４】
図２（Ｂ）は、第１実施形態のボルト１に、その相手側締結部材であるナット９を締結した状態におけるねじ山１０を示す断面図である。
ナット９は雌ねじ構造を有し、圧力側フランク面９１、遊び側フランク面９２、雌ねじ山頂部９ａ、雌ねじ谷底９ｂを備える。
ナット９はＪＩＳ規格に準じた形状であり、雌ねじ谷底９ｂの角度θ4は約６０°、圧力側フランク面９１のフランク角および遊び側フランク面９２のフランク角はいずれも約３０°である。
【００３５】
ところで、ボルト１の製造方法は特に限定されず、どのような製造方法を採用してもよく、例えば、各種の転造（平ダイス式、丸ダイス式、プラネタリダイス式、ロータリーダイス式など）、切削、鋳造、鍛造、射出成形などを採用すればよい。
また、下部１２の側面（抉れた部分）は、ボルト１のねじ部４の全域に形成することが好ましいが、ナットと螺合する部分のみに形成してもよい。
また、ねじ山毎に下部の側面形状を異ならせてもよい。例えば、ねじ山の下部の圧力側側面の抉れ量を座面から離れるに従って大きくする。より具体的には、側面１５を規定する曲率半径を座面から離れるに従い順次大きくする。
同様の見地から、圧力側フランク面の下端位置もねじ山毎に任意に変化させることができる。例えば、第１ねじ山における当該下端位置を最も谷部側とし、ボルトの先端に行くに従い当該下端位置を山頂部側へシフトさせる。
【００３６】
図２（Ｂ）に示すように、ボルト１のねじ山１０をナット９に締め込むと、ナット９の圧力側フランク面９１がねじ山１０の圧力側フランク面１３を押圧する。
ここに、ねじ山１０の下部１２の圧力側側面１５が、圧力側フランク面８２の延長面より内側に向かって湾曲してねじ谷底１０ｂに連続する断面曲線形状であるため、ナット９からの力によりねじ山がボルト先端側（図示右側）へ変形しようとするとき、その変形の多くは圧力側側面１５に集中しこれを弾性変形させる。この弾性変形により強い反力が得られ、両フランク面１３、９１間に高い摩擦力を付与する。
【００３７】
第１実施形態の変形例を図３及び図４に示す。なお、図３及び図４において同一の要素には同一の符号を付してその説明を省略する。
図３に示す第１の変形例（ねじ山２０）では、圧力側フランク面１３の下端１３ａ（圧力側の側面１５の上端）が、仮想円筒７よりも雄ねじ山頂部１０ａ側の位置（基準山形８の有効径外の位置）に形成されている。
また、図４に示す第２の変形例（ねじ山３０）では、圧力側フランク面１３の下端１３ａ（圧力側の側面１５の上端）が、仮想円筒７よりも雄ねじ谷底１０ｂ，１０ｃ側の位置（基準山形８の有効径内の位置）に形成されている。
これらの変形例の締結部材も図２のそれと同様の効果を有する。
【００３８】
図５は第３の変形例のねじ山４０における圧力側の側面１５の断面拡大図である。なお、図５において図２と同一の要素には同一の符号を付してその説明を省略する。
第３変形例のねじ山４０において、圧力側の側面１５の形状が、軸線５を含む断面にて、圧力側フランク面１３の延長線（基準山形８の圧力側フランク面８２に沿う線）から内側に配置された直線４１と、当該延長線から内側に向かって湾曲する曲線４２とを組み合わせた形状になっている。
直線４１は、ボルト１（図２参照）の軸方向に垂直（仮想線８４ａに平行）であり、直線４１の上端は圧力側フランク面１３の下端１３ａに接続されている。
曲線４２は、その上端４２ａが直線４１の下端に接続され、その下端がねじ谷底１０ｂに連続するＲ形状である。
このように構成されたねじ山４０によれば、図２の例のねじ山と同様の緩み止め効果に加えて、緩み止め効果が向上する。
【００３９】
ここで、直線４１の上端（圧力側フランク面１３の下端１３ａ）は、第１変形例（図３参照）と同様に、仮想円筒７よりも雄ねじ山頂部１０ａ側の位置（基準山形８の有効径外の位置）にすることが好ましい。
そして、直線４１の上端を、仮想円筒７よりも雄ねじ山頂部１０ａ側の位置に移動させるほど、ねじ山４０が変形しやすくなる。
【００４０】
尚、直線４１を、ボルト１（図２参照）の軸方向に垂直（仮想線８４ａに平行）にせず、圧力側方向または遊び側方向に傾斜させてもよい。
ここで、圧力側方向とは、ボルト１を構成する各ねじ山４０のそれぞれの圧力側フランク面１３が設けられている側の方向である。
また、遊び側方向とは、ボルト１を構成する各ねじ山４０のそれぞれの遊び側フランク面１４（図５では図示略、図２参照）が設けられている側の方向である。
【００４１】
また、図２のねじ山１０において、軸線５を含む断面にて、圧力側の側面１５の形状を、圧力側フランク面１３の延長線から内側に向かって湾曲する曲線とする場合に、その曲線の形状は、一定の曲率半径を有するＲ形状に限らず、異なる曲率半径を有する複数の曲面を組み合わせた複合Ｒ形状にしてもよい。
また、図５のねじ山４０において、曲線４２はＲ形状に限らず複合Ｒ形状にしてもよい。
【００４２】
＜第２実施形態＞
図６（Ａ）は、第２実施形態のねじ山１００における軸線５を含む断面拡大図である。
図６（Ｂ）は、第２実施形態のボルト１にナット９を締結した状態におけるねじ山１００を示す断面図である。
図６において図２と同一の要素には同一の符号を付してその説明を省略する。
図６に示すねじ山１００では、ねじ山１００の角度θ5が基準山形８のねじ山の角度θ1より大きくなっている。他方、遊び側フランク面１４のフランク角θ3は基準山形８の遊び側フランク面８３のフランク角と略同一の約３０°である。
【００４３】
ねじ山１００の圧力側フランク面１０１は、基準山形８の圧力側フランク面８２のフランク角θ2（＝約３０°）に角度θ6（＝３°以下）を加えて成る仮想線８６に沿って形成されており、圧力側フランク面１０１のフランク角θ7（＝θ2＋θ6）は約３０°〜３３°である。
そして、ねじ山１００の角度θ5（＝θ1＋θ6）は約６０°〜６３°である。
【００４４】
このように構成された第２実施形態のねじ山１００によれば、圧力側フランク面１０１の中で、圧力側フランク面１０１の下端１０１ａが基準山形８の圧力側フランク面８２から最も離隔して圧力側方向へ突出している。
そして、ねじ山１００の圧力側フランク面１０１は全体的に、基準山形８の圧力側フランク面８２より圧力側方向に設けられている。
ここで、圧力側方向とは、ボルト１を構成する各ねじ山１００のそれぞれの圧力側フランク面１０１が設けられている側の方向である。
このように構成された図６のねじ山１００によれば、ボルト１をナット９に対して締め込むときに、ねじ山１００における圧力側フランク面１０１の下端１０１ａがナット９の圧力側フランク面９１に最初に当接する。
その結果、ナット９からの力が当該下端１０１ａを介して側面１５の弾性変形を誘発する。これはまた、ナット９からの反発力が上部１１の山頂側へ集中することを未然に防止する。
【００４５】
この作用・効果を確実に得るには、角度θ6を３°以下の範囲に設定することが好ましい。
角度θ6が３°を超えると、圧力側フランク面の下端がナット９に最初に接触したとき、ナット９からの力により当該下端が塑性変形するおそれがある。当該下端が塑性変形すると、ナット９からの力による圧力側側面１５の弾性変形誘発が減殺されるので好ましくない。
【００４６】
＜第３実施形態＞
図７（Ａ）は、第３実施形態のねじ山２００における軸線５を含む断面拡大図である。
図７（Ｂ）は、第３実施形態のボルト１にナット９を締結した状態におけるねじ山２００を示す断面図である。
図７において、図２と同一の要素には同一の符号を付してその説明を省略する。図７のねじ山２００において遊び側の側面２０１の形状は、軸線５を含む断面にて、遊び側フランク面１４の延長線（基準山形８の遊び側フランク面８３に沿う線）から内側に向かって湾曲しながら雄ねじ谷底１０ｃに連続するＲ形状である。
そして、遊び側の側面２０１は、雄ねじ谷底１０ｃから遊び側（ねじ先端側）に隣接するねじ山における圧力側の側面に連続する。
図７に示すねじ山２００は、図２のそれと比べて、下部１２が薄くなっている。その結果、前者は後者に比べて弾性変形しやすくなる。つまり、ボルトの用途やボルトの素材を検討し、これに要求される締め付けトルクに対応して適宜図７に示す構成を採用することが好ましい。
尚、ねじ山２００における遊び側フランク面１４の下端１４ａ（遊び側の側面２０１の上端）の位置は、圧力側フランク面１３の下端１３ａ（圧力側の側面１５の上端）の位置に比べて下側（谷部側）に設置することが好ましい。
遊び側側面のＲ形状を大きくとると（遊び側フランク面の下端１４ａの位置が上がると）、圧力側側面のＲ形状と相俟ってねじ山の下部が薄くなり、ねじ山全体が塑性変形を起こすおそれがある。
【００４７】
＜第４実施形態＞
図８は、第４実施形態のねじ山４００における軸線５を含む断面拡大図である。
図９は、第４実施形態のボルト１にナット９を締結した状態におけるねじ山４００を示す断面図である。
図８及び図９において、図２と同一の要素には同一の符号を付してその説明を省略する。
【００４８】
図８において、仮想線４０１は基準山形８の雄ねじ谷底８１ａを通り、雄ねじ谷底８１ａを通って軸線５と直交する仮想線８４ａと、仮想線４０１との成す角度θ8は約２６°である。
仮想線４０２は基準山形８の雄ねじ谷底８１ｂを通り、雄ねじ谷底８１ｂを通って軸線５と直交する仮想線８４ｂと、仮想線４０２との成す角度θ9は約３３°である。
ねじ山４００の圧力側フランク面４０３は、仮想線４０１の角度θ8に角度θ10（＝３．５〜６°）を加えて成る仮想線４０４に沿って形成されており、圧力側フランク面４０３のフランク角θ11（＝θ8＋θ10）は３０．５〜３３°である。
ねじ山４００の遊び側フランク面４０５は、仮想線４０２に沿って形成されており、遊び側フランク面４０５のフランク角θ9は仮想線４０２の角度θ9と同じである。
そのため、ねじ山４００の上部１１のねじ山の角度θ12（＝θ9＋θ11）は約６３．５〜６６°である。
【００４９】
ねじ山４００の圧力側の側面４０６の形状は、軸線５を含む断面にて、圧力側フランク面４０３の延長線である仮想線４０４から内側に配置された直線４０７と、仮想線４０４から内側に向かって湾曲する曲線４０８とを組み合わせた形状になっている。
すなわち、圧力側の側面４０６の形状は、第１実施形態の第３変形例のねじ山４０の圧力側の側面１５（図５参照）と同様になっている。
ねじ山４００の遊び側の側面１６の形状は、軸線５を含む断面にて、遊び側フランク面４０５と面一（フラット）になっており、遊び側フランク面４０５がそのまま平面形状で延長しながら雄ねじ谷底１０ｃに連続する形状である。
【００５０】
このように構成された第４実施形態のねじ山４００によれば、圧力側フランク面４０３の中で、圧力側フランク面４０３の下端４０３ａが基準山形８の圧力側フランク面８２から最も離隔して圧力側方向へ突出しているので、図６に示す第２の実施形態と同様の効果が得られる。
即ち、ボルト１をナット９に対して締め込むときに、ねじ山４００における圧力側フランク面４０３の下端４０３ａがナット９の圧力側フランク面９１に最初に当接する。
その結果、ナット９からの力が当該下端４０３ａを介して側面４０６が拡開する方向の弾性変形へと効率的に伝えられる。側面４０６の弾性変形は強い反発力を生み、圧力側フランク面４０３、９１間に強い摩擦力を与える。また、下端部４０３ａを優先的にナット９の圧力側フランク面９１へ当接することにより、ナット９からの力が上部１１の薄肉である山頂部側へ集中することを防止する。
この例のねじ山４００は、圧力側へ傾斜しているのでナット９からの力に対して抵抗力が強く、図７の例と対象的に、全体的には弾性変形しにくい。その結果、ナット９からの力が圧力側側面４０６の弾性変形に変換されやすい。
【００５１】
尚、図８の例において、角度θ10から角度θ9を差し引いた角度θ13（＝θ10−θ9）を３°以下の範囲に設定することが好ましい。
ここで、角度θ13は、圧力側フランク面４０３のフランク角θ11から、基準山形８の圧力側フランク面８２のフランク角θ2を差し引いた角度でもある（θ13＝θ11−θ2）。
すなわち、第４実施形態の角度θ13は、第２実施形態の角度θ6に相当するものであり、角度θ13の範囲については第２実施形態における角度θ6の範囲についての説明がそのまま該当する。
【００５２】
この実施形態のボルトの緩み止め効果を確認するために、振動試験を行なった。
振動試験は財団法人日本品質保証機構関西試験センターにおける標準振動試験であり、次のようにして行なった。
サンプルを高速ねじ弛み試験機に取り付け、所定の振動条件（振動数：１７８０Ｈｚ、加振台ストローク：１１ｍｍ、インパクトストローク：１９ｍｍ、振動方向：ボルト軸直角方向）にて試験を実行した。なお、サンプルを高速ねじ弛み試験機に取り付ける際には、振動バーレルとワッシャをボルトとナットの間に挟み込んでおき、振動バーレルを加振台により加振させた。
サンプルはＭ１２×６０の六角ボルトであり、これへ六角ナットを８０Ｎ・ｍの締付けトルクで締め付ける。
実施例１−１、１−２は図８の構造を有するものであり、比較例１−１、１−２はねじ山の形状が基準山形に等しいＪＩＳ規格品である。それぞれ三価クロームメッキが施されている。結果を表１に示す。
緩みの判定は、サンプルのボルト、ナット及びワッシャの合マークがずれ、ワッシャが手で回せるようになったとき緩んだと判定した。
なお、実施例１−３は、実施例１−２のサンプルのボルトからナットを一旦はずし、再度同じ条件でナットを螺合し振動テストを行なった結果である。
【００５３】
【表１】
2011105225.tif 000003
【００５４】
＜別の実施形態＞
［Ａ］前記各実施形態を適宜組み合わせて実施してもよく、その場合には組み合わせた実施形態の作用・効果を合わせもち、また相乗効果を得ることができる。
［Ｂ］前記各実施形態はＪＩＳ規格で規定される基準山形８およびＪＩＳ規格に準じたナット９に適用したものであるが、公知の規格（例えば、ユニファイねじ、ウィットねじ等）であれば、どのような規格に適用してもよい。
［Ｃ］前記各実施形態は右ねじのボルトに適用したものであるが、左ねじのボルトに適用することも可能であり、左ねじに適用した場合でも右ねじに適用した場合と同様の作用・効果が得られる。
［Ｄ］前記各実施形態は雄ねじ構造を有した締結部材に適用したものであるが、本発明は、雌ねじ構造を有した締結部材に適用することも可能であり、雌ねじ構造に適用した場合でも雄ねじ構造に適用した場合と同様の作用・効果が得られる。
［Ｅ］前記各実施形態は座面６が形成された頭部２を備えたボルト１に適用したものであるが、本発明は、頭部を備えないねじ（例えば、止めねじ等）に適用することも可能である。
【００５５】
本発明は、前記各局面および前記各実施形態の説明に何ら限定されるものではない。特許請求の範囲の記載を逸脱せず、当業者が容易に想到できる範囲で種々の変形態様も本発明に含まれる。本明細書の中で明示した論文、公開特許公報、特許公報などの内容は、その全ての内容を援用によって引用することとする。
【符号の説明】
【００５６】
１…ボルト（締結部材）
１０，２０，３０，４０，１００，２００，４００…ねじ山
１０ａ，１００ａ，４００ａ…雄ねじ山頂部
１０ｂ，１０ｃ…雄ねじ谷底
１１…上部
１２…下部
１３，１０１，４０３…圧力側フランク面
１３ａ，１０１ａ…圧力側フランク面１３の下端
１４，４０５…遊び側フランク面
１４ａ…遊び側フランク面１４の下端
１５，４０６…圧力側の側面
１６，２０１，３０１…遊び側の側面
４１，４０７…直線
４２，４０８…曲線
５…軸線
７…仮想円筒
８…基準山形
８２…基準山形８の圧力側フランク面
８３…基準山形８の遊び側フランク面
９…ナット（相手側締結部材）
９１…ナット９の圧力側フランク面
９２…ナット９の遊び側フランク面
９ａ…ナット９の雌ねじ山頂部
９ｂ…ナット９の雌ねじ谷底
【図１】
2011105225.tif 000004
【図２】
2011105225.tif 000005
【図３】
2011105225.tif 000006
【図４】
2011105225.tif 000007
【図５】
2011105225.tif 000008
【図６】
2011105225.tif 000009
【図７】
2011105225.tif 000010
【図８】
2011105225.tif 000011
【図９】
2011105225.tif 000012
【国際調査報告】
2011105225.tif 000013
2011105225.tif 000014
2011105225.tif 000015